(57)【特許請求の範囲】
【請求項１】
内部空洞を有するハウジングと、
上記内部空洞内に配置される支持板であって、中心開口を有する支持板と、
上記支持板の底部表面に取り付けられる可動なダイアフラムであって、上記ハウジングの内部空洞に入ってくる流体の圧力の変化に反応する少なくともひとつの可動面と、上記支持板に対して下方に延びる細長の中心部であって、内部空洞を有している上記ダイアフラムの細長中心部とを有するダイアフラムと、
上記支持板の上側表面に取り付けられるダイヤル面と、
上記ダイアフラムの少なくとも一つの可動面と相互接続される移動機構であって、軸方向に変位可能なシャフト部材及び該シャフト部材に螺旋形状に巻き付けられた薄いリボンばね部材を有し、該リボンばね部材は、一端を変位可能なシャフト部材に取り付けられ、他端は固定の細長い中空のチューブラ部材に取り付けられており、少なくとも上記軸方向に変位可能なシャフト部材と螺旋形状に巻き付けられたリボンばね部材の実際の軸部分は、上記中空のチューブラ部材の中に配置され、上記移動機構は上記支持板の中心開口を通って配置される移動機構と、からなる圧力感知装置において、
上記ハウジングは、上記ダイアフラムの下方延伸中心部を保有する大きさに作られた狭い下方延伸部を有し、上記移動機構の少なくとも一部は上記細長中心部の内部空洞内に位置することを特徴とする圧力感知装置。
【請求項２】
請求項１記載の圧力感知装置において、上記軸方向に変位可能なシャフト部材は、上記シャフト部材の上端に取り付けられた指示部材を有し、かつ、上記シャフト部材は上記ダイアフラムの少なくとも一つの可動面に近接して配置されている下端を有する、ことを特徴とする圧力感知装置。
【請求項３】
請求項１記載の圧力感知装置であって、上記ダイヤル面を、これを取り外す必要なく回転できるように上記ダイヤル面を上記支持板に取り付ける手段を有していることを特徴とする圧力感知装置。
【請求項４】
請求項１記載の圧力感知装置において、上記ハウジングの狭い下方延伸部は、該ハウジングを様々な圧力作動装置に選択的に取り付けるためのアダプタ手段を有することを特徴とする圧力感知装置。
【請求項５】
請求項４記載の圧力感知装置において、上記アダプタ手段は、上記ハウジングと様々な圧力作動装置との間に流体を通さないシールを提供するためのシーリング手段を有することを特徴とする圧力感知装置。
【請求項６】
請求項５記載の圧力感知装置において、上記アダプタ手段は、上記ハウジングの狭い下方延伸部に設けられた外周スロット、及び該スロット内に適合する大きさに作られているシーリング部材を有していることを特徴とする圧力感知装置。
【請求項７】
請求項６記載の圧力感知装置において、上記シーリング部材は、Ｏリングであることを特徴とする圧力感知装置。
【請求項８】
請求項５記載の圧力感知装置において、上記様々な圧力作動装置は、血圧スリーブを有し、該スリーブは、上記ハウジングの狭い下方延伸部を直接収容する大きさに作られている収容ホールを有する、ことを特徴とする圧力感知装置。
【請求項９】
請求項８記載の圧力感知装置において、上記ハウジングは、上記ハウジングのダイヤル面を容易に読むことができるよう上記血圧スリーブに取り付けられ自由に回転できることを特徴とする圧力感知装置。
【請求項１０】
請求項１記載の圧力感知装置であって、上記狭い下方延伸部は、ハウジングの他の部分の直径の少なくとも３分の１である直径を有することを特徴とする圧力感知装置。
【請求項１１】
内部空洞を有するハウジングと、
上記ハウジング内部に配置される支持板であって、中心開口を有する支持板と、
上記支持板の底部表面に取り付けられた少なくとも１つのダイアフラムであって、上記ハウジングの内部空洞に入ってくる流体の圧力の変化に反応する少なくともひとつの可動面及び上記支持板に対して下方に延びる狭長な中心部を有し、該狭長な中心部は、内部空洞を有している少なくとも１つのダイアフラムと、
上記支持板の上側表面に取り付けられる指示指標を有するダイヤル面と、
上記ダイアフラムの少なくとも一つの可動面と相互接続される移動機構であって、軸方向に変位可能なシャフト部材及び該シャフト部材に螺旋形状に巻き付けられた薄いリボンばね部材を有し、該リボンばね部材は、一端を変位可能なシャフト部材に取り付けられ、他端は固定の細長い中空のチューブラ部材に取り付けられており、少なくとも上記軸方向に変位可能なシャフト部材と上記薄いリボンばね部材の実際の軸部分は、上記中空のチューブラ部材の中に配置され、上記移動機構は上記支持板の中心開口を通って配置される移動機構と、からなる血圧測定装置で、上記ハウジングは、上記ダイアフラムの狭長な中心部を保有する為の大きさに作られた狭い下方延伸部を有し、上記移動機構の一部は、上記細長中心部の内部空洞内に配置されている、ことを特徴とする血圧測定装置。
【請求項１２】
請求項１１記載の血圧測定装置において、上記軸方向に変位可能なシャフト部材の上端に取り付けられた指示部材を有し、上記シャフト部材は上記ダイアフラムの少なくとも一つの可動面に近接して配置されている下端を有する、ことを特徴とする血圧測定装置。
【請求項１３】
請求項１１記載の血圧測定装置であって、上記ダイヤル面を、これを取り外す必要なく回転できるようにするように、上記ダイヤル面を上記支持板に取り付けるための手段を有していることを特徴とする血圧測定装置。
【請求項１４】
請求項１１記載の血圧測定装置において、上記ハウジングの狭い下方延伸部は、該ハウジングを膨張可能なスリーブに直接取り付けるためのドッキング手段を有することを特徴とする血圧測定装置。
【請求項１５】
請求項１４記載の血圧測定装置において、上記膨張可能なスリーブは、上記ハウジングの狭い下方延伸部を収容する大きさに作られている収容ホールを有することを特徴とする血圧測定装置。
【請求項１６】
請求項１５記載の血圧測定装置であって、上記下方延伸部が上記収容ホールと係合するとき、上記ハウジングと上記膨張可能なスリーブとの間に流体シールを提供するための手段を有することを特徴とする血圧測定装置。
【請求項１７】
請求項１５記載の血圧測定装置であって、上記シーリング手段は、上記下方狭伸部に設けられた外周スロット及び該スロット内に適合する大きさに作られているシーリング部材を有していることを特徴とする血圧測定装置。
【請求項１８】
請求項１７記載の血圧測定装置であって、上記シーリング部材は、Ｏリングであることを特徴とする血圧測定装置。
【請求項１９】
請求項１５記載の圧力感知装置であって、上記ハウジングは、上記スリーブに取り付けられると自由に回転できることを特徴とする圧力感知装置。
【請求項２０】
請求項１１記載の圧力感知装置であって、上記狭い下方延伸部は、上記ハウジングの他の部分の直径の少なくとも３分の１である直径を有することを特徴とする圧力感知装置。
【請求項２１】
上部、下部、及び該上部及び該下部を相互接続する中間部を有するハウジングであって、該各部は中空で内部空洞を有するハウジングと、
上記下部に配置される支持板であって、上記中間部と心合されている中心開口を有する支持板と、
上記支持板の底部表面に取り付けられたダイアフラムアセンブリであって、上記ダイアフラムはハウジングに入ってくる流体に反応して可動な少なくとも一つの面を有するダイアフラムアセンブリと、
上記ハウジングの上部に配置されるダイヤル面と、
上記ダイアフラムの少なくとも一つの可動面と上記ダイヤル面とを相互接続している移動機構であって、軸方向に変位可能なシャフト部材及び該シャフト部材に螺旋形状に巻き付けられた薄いリボンばね部材を有し、該リボンばね部材は、一端を変位可能なシャフト部材に取り付けられ、他端は固定の細長い中空のチューブラ部材に取り付けられており、少なくとも上記軸方向に変位可能なシャフト部材と螺旋形状に巻き付けられたリボンばね部材の実際の軸部分は、上記中空のチューブラ部材の中に配置され、上記移動機構は実質的に上記中間部内に配置される移動機構と、からなる圧力感知装置であって、上記中間部は、上記上部及び下部より非常に狭い、ことを特徴とする圧力感知装置。
【請求項２２】
請求項２１記載の圧力感知装置において、上記軸方向に変位可能なシャフト部材の上端に取り付けられた指示部材を有し、上記シャフト部材は上記ダイアフラムの少なくとも一つの可動面に近接して配置されている下端を有する、ことを特徴とする圧力感知装置。
【請求項２３】
請求項２１記載の圧力感知装置において、上記ハウジングの下部は、突出する取付部を有することを特徴とする圧力感知装置。
【請求項２４】
請求項２３記載の圧力感知装置であって、上記ハウジングの突出する取付部に取り付け可能な聴診器アダプタを有することを特徴とする圧力感知装置。
【請求項２５】
請求項２１記載の圧力感知装置であって、膨張可能なスリーブを有し、該スリーブは、該上部が該スリーブの外部から突出るように上記ハウジングの狭い中間部及び下部を収容するための手段を有している、ことを特徴とする圧力感知装置。
【請求項２６】
請求項２５記載の圧力感知装置において、上記スリーブは、共にＲＦ溶接されている一対のスリーブ部を有し、上記収容手段は、該溶接されたスリーブ部を通って形成されるスロットを有する、ことを特徴とする圧力感知装置。
【請求項２７】
請求項２６記載の圧力感知装置であって、上記ハウジングの突出取付部に直接取り付け可能な聴診器アダプタを有することを特徴とする圧力感知装置。
【請求項２８】
請求項２７記載の圧力感知装置において、上記聴診器アダプタは、上記ハウジングに取り付けられると取付軸に対して自由に回転できることを特徴とする圧力感知装置。
【請求項２９】
請求項２１記載の圧力感知装置において、上記中間部ハウジング上記移動機構は、該ハウジングの上部及び下部の直径の少なくとも２分の１より小さいことを特徴とする圧力感知装置。
【発明の詳細な説明】
【０００１】
本発明は、測定器の分野に関し、より具体的には、コンパクトな圧力感知装置に関するものである。
【０００２】
（発明の背景）
血圧測定器のような圧力測定装置は、患者の腕または脚にはめる付属のスリーブの圧力チャンバを膨らませる空気バルブを備えている。空気バルブ及びスリーブの圧力チャンバにおける流圧の変化に応答するダイアフラムまたはベローズアセンブリは、ダイヤルインジケータのハウジング内に配置される。ダイヤルインジケータのポインタは、移動機構によってベローズアセンブリに相互接続され、これによりベローズの膨張は、対応するポインタの周運動を引き起こす。
【０００３】
一般に、上で参照した移動機構は、かなり入り組んで複雑であり、その製造および精密さの点においてはスイス製時計と同様である。例えば、このような移動機構の１つでは、一対のダイアフラムばねが、スピンドルの対向する端に隣接して取り付けられている。上記スピンドルの下端は、ベローズアセンブリと接して位置し、該スピンドルの上端に垂直に配置されたねじれ青銅バンドは、水平に配置された折曲りばね部によって並列に接続される。該スピンドルがベローズの膨張に反応して軸方向にたわむにつれて、上記折曲りばね部もまた、たわませられ、これにより上記バンドをねじらせる。該青銅バンドに取り付けられたポインタは、これにより隣接するダイヤル面に対して回転せられる。
【０００４】
これらの装置は、複数の可動構成要素を備え、その各々が、多重軸受面を有している。従って、このような公知のアセンブリは、誤差を最小にするよう、高度な公差（及び付随する費用）でもって製造されなければならない。
【０００５】
さらに、このような機構の組立後に要求される、ポインタを無効にする、または装置の感知を調整する、等の調整には、測定装置の実質的な解体または少なくともかなりの望ましくない分解が必要である。
【０００６】
さらに、移動機構及びベローズアセンブリそれぞれを独立して支える為に、及び、それらの間のベローズの膨張チャンバを画成する為に、独立した支持板が必要である。それらを包含するハウジングは、コンパクトな設計とする為に性能を弱めてしまった。
【０００７】
出願人により開発された、より最近の簡易化した移動機構は、一端が軸方向に可動性のある先細型のピンに取り付けられ、もう一方はカートリッジの固定部に取り付けられている、螺旋状に巻き付けられたリボンばねを有する垂直に配置された軸方向のカートリッジを備えている。上記ピンの底部は、膨張可能なベローズに対して位置づけられており、ピンのその後の軸方向の平行移動により螺旋状に巻き付けられたリボンばねを伸ばし、ピンの先端で支えられているポインターの反復可能な周運動を引き起こす。
【０００８】
次に、上記構造の全体のサイズ及び複雑さを更に減少させる為に、ダイアフラムは、一つの支持板の底部表面側に対して都合よく取り付けられてシールされることができ、それにより移動機構を保有するハウジングのデザインをよりコンパクトにするということが規定された。しかしながら、改良されたデザインであっても、よりコンパクトで流線形のハウジングを提供するという絶え間無い必要性がこの分野においては依然として現存する。また、圧力測定装置の製造において該装置の信頼性を失うことなく複雑さのレベルをよりさらに減少させるという先在する必要性もある。
【０００９】
（発明の概要）
本発明の主要な目的は、上記先行技術の欠点を克服する圧力測定装置を提供することである。
本発明の他の主要な目的は、すでに公知の装置より、よりコンパクトかつより安価に製造できるが、同様に信頼性の高い、血圧カフのような圧力測定装置のハウジングを提供することである。
【００１０】
本発明のさらに別の主要な目的は、血圧カフのような膨張可能なスリーブに効果的に連結され得る軽量かつ携帯可能な圧力感知装置のハウジングを提供することである。
【００１１】
従って、本発明の好ましい側面によれば、
内部空洞を有するハウジングと、上記内部空洞内に配置され、中心開口を有する支持板と、
上記支持板の底部表面に取り付けられ、上記ハウジングの内部空洞に入ってくる流体の圧力の変化に反応する少なくともひとつの可動面と、上記支持板に対して下方に延びる細長の中心部であって、内部空洞を有している細長中心部を有するダイアフラムと、
上記支持板の表側表面に取り付けられるダイヤル面と、
上記ダイアフラムの少なくとも一つの可動性面と相互接続される移動機構であって、上記支持板の中心開口を通って配置される軸方向先細のカートリッジを有する移動機構と、からなる圧力感知装置において、上記ハウジングは、上記ダイアフラムの下方延伸中心部を保有する大きさに作られた狭い下方延伸部を有し、上記軸方向のカートリッジの少なくとも一部分は上記内部空洞内に位置する、ことを特徴とする圧力感知装置が開示されている。
【００１２】
好ましくは、上記移動機構は、一端に取り付けられた螺旋状に巻き付けられたリボンばねを有する軸方向に変位可能なシャフト部材と、支持板の上部表面に取り付けられたダイヤル面に近接しているシャフト部材の上端の指示部材、とを備える。
【００１３】
好ましくは、該ダイヤル面は、移動機構の指示部材に関してゼロ調整を提供するように回転出来るような方法で支持板の上側に直接に取り付けられる。これにより、独立した零または無効調節機構の必要性を排除でき、かつ、組み立てられる部品の数を有効に減少させることができる。
【００１４】
加えて、上記の発明によってなされたコンパクトなハウジングは、ほとんど修正を加えることなく、ハウジングを他の現存するゲージハウジング内に適合され、シールされるようにできるドッキングハブまたは他の適当な手段を有することができる。
【００１５】
好ましい変形例によると、本装置は、一般的にみられるホースの必要性なしに血圧カフに直接的に結合させることができる。さらには、ハウジングの全体のコンパクトさにより、バルブ、ゲージ、スイッチ及びリーク検出器など（これらに限られないが）を有する圧力感知構成要素を有する文字通りあらゆる形の装置に対する多くの適用が可能となる。
【００１６】
本出願のさらに好ましい側面によれば、
内部空洞を有するハウジングと、
上記ハウジング内部に配置され、中心開口を有する支持板と、
上記支持板の底部表面に取り付けられたダイアフラムであって、入ってくる流体の圧力の変化に反応する少なくともひとつの可動面及び上記支持板に対して下方に延びる狭長な中心部を有し、該狭長な中心部は、内部空洞を有しているダイアフラムと、
上記支持板の表側表面に取り付けられる指示指標を有するダイヤル面と、
上記ダイアフラムの少なくとも一つの可動面と相互接続される移動機構であって、上記支持板の中心開口を通って配置される細長な軸方向カートリッジを有する移動機構と、からなる血圧測定装置で、上記ハウジングは、上記ダイアフラムの狭長な中心部を保有する為の大きさに作られた狭い下方延伸部を有し、上記軸方向カートリッジの一部は、上記内部空洞内に配置されている、ことを特徴とする血圧測定装置が開示されている。
【００１７】
好ましい実施の形態において、上記ハウジングの下方延伸部は、膨張可能な血圧カフまたはスリーブに直接的に結合され得る。この結合は、ホースの必要性なしに起こり得る。最も好ましくは、浅いプロファイルを有する装置のハウジングは、スリーブの外側から突き出していて、シールされているか、そうでなければそこに取り付けられている。さらに、他の好ましい変形例においては、該ハウジングは、膨張可能なスリーブに対して選択的に回転させられ、患者や介護人が測定を実施することが可能である。
【００１８】
他の好ましい変形例においては、記ハウジングは、ＲＦ溶接されている血圧スリーブと共に使用されることが可能であり、該ハウジングは、ハウジングの下方延伸部への接続のためにスリーブに設けられているシールされているポートを通って膨張可能な体積のスリーブに直接的に相互接続することが可能である。
【００１９】
本装置の空間エンベロープにおける、かなりの全体的な節約をもたらす、入り込んでくる流体に対するハウジング内部内のダイアフラムの近接及びハウジングの取付空洞内の移動機構の位置は、より効率的でより細身のプロファイルを提供し、かつ上記取付を価値あるものとできる。
【００２０】
さらには、聴診器アダプターのような、血圧カフから一般的には独立した付加的に必要とされる機能は、今や、より統合的で簡潔で軽量なシステムにおいてハウジング及びスリーブと効果的に組み合わされ得る。
【００２１】
本発明のさらに他の好ましい側面によれば、
上部、下部、及び該上部及び該下部を相互接続する中間部を有するハウジングであって、該各部は中空で内部空洞を有するハウジングと、
上記下部に配置される支持板であって、上記中間部と心合されている中心開口を有する支持板と、
上記支持板の底部表面に取り付けられたダイアフラムアセンブリであって、上記ダイアフラムはハウジングに入ってくる流体に反応して可動な少なくとも一つの面を有するダイアフラムアセンブリと、
上記ハウジングの上部に配置されるダイヤル面と、
上記ダイアフラムの少なくとも一つの可動面と上記ダイヤル面とを相互接続している移動機構であって、実質的に上記中間部内に配置される軸方向の細長のカートリッジを有する移動機構と、からなる圧力感知装置であって、上記中間部は、上記上部及び下部より非常に狭い、ことを特徴とする圧力感知装置が開示されている。
【００２２】
最も好ましい構造においては、保有スロットは、血圧カフのような膨張可能なスリーブにおいて切られるか、または形成されることができ、該スロットにハウジングの中間部及び下部が配置されることが可能である。非常に浅いプロファイルを有する上部は、スリーブの外部から簡単に突き出ることができ、それゆえ、一体化した形状に容易に同化し得る。
【００２３】
さらに、上記ハウジングの全体的に軽量な性質と改良された特徴により、聴診器アタッチメントは、ハウジングに着脱自在に取り付けられることも可能であり、より統一化され、かつ、あまり独立していない様式の装置においてアセンブリが多様な機能を果たすことが可能である。この利点は、この産業において、以前には実現されなかったものである。
【００２４】
ある利点は、上述された移動機構を使用している装置は、その比較的狭い性質を活用することができるようにハウジング内に適宜配置されることが可能であることである。この方法において、ハウジングは、ダイアフラムを拡張することや、さもなければ移動カートリッジを他の現存する装置に効果的に相互接続できるようにする狭められた部分に収容することによって、より効果的に設計され得る。
【００２５】
本発明のさらに他の利点は、上述された軽量な圧力感知ハウジングを製作することにより、信頼性を損なうことなく、改良された製造性及び多角性が与えられることである。
【００２６】
本発明のさらに他の利点は、血圧測定に特有であるが、上記流線形のハウジングにより、それ自身をホースの必要性なしに血圧スリーブに直接的に接続することが可能であり、さらなるコンパクトさ及び有効なパッケージングを提供することである。さらに、血圧スリーブへの取付により、聴診器のような他に必要とされる機能をハウジングに結合することができる。
【００２７】
さらに他の利点は、本発明によってなされたハウジングは、非常にコンパクトで比較的浅いプロファイルを有し、それゆえリーク検出器、フォースゲージ、バロメター、圧力感知スイッチ、バルブ等のような他の公知の圧力感知装置における使用の為に容易に構成することが可能であることである。さらに、その単純なデザインにより、文字通りあらゆる形の圧力感知装置及び圧力応答装置に適用することができる。
これら及び他の目的、特徴及び利点は、添付の図面を参照してなされる以下の発明の詳細な説明において、より詳細に説明される。
【００２８】
（発明の詳細な説明）
本発明は、ここで、それぞれ血圧測定装置に関連するいくつかの好ましい実施形態を参照して説明される。しかしながら、バロメータ、圧力容器指示器、圧力感知スイッチ、バルブ、及び圧力反応構成要素を必要とする文字通りあらゆる装置を含む血圧測定以外の代わりの適用と共に、他の変形や修正がここに述べられる発明の概念を利用して為され得ることは、当業者にとって明白である。さらに、以下の議論の過程を通じて、「上方に」「下方に」「上」「下」「頂点」「底」等の語は、添付の図面に対する基準系を提供する為に用いられる。しかしながら、これらの語は、ここで述べられる本発明に対する限定として扱われるべきではない。
【００２９】
図１を参照すると、本発明の第一の実施形態によってなされる圧力測定装置１０が示されている。該装置１０は、周囲内壁１６、開いた上端１８、及び底端２０によって定義付けられる内部空洞１４を有する実質的に円筒形状のハウジング１２を備える。ウインドウまたはバブル２２は、ガラスまたは任意の都合のよい透明な材料からなっており、ハウジング１２の開いた上端１８に公知の方法で取り付けられている。ハウジング１２の底端２０は、流体を流入させる為のポートとして機能する（これについては下記でより詳しく説明される）底部開口２６を有する狭い下方延伸部２４に対して内側に先細になっている直径を有する。好ましくは、狭伸部２４の直径は、ハウジングの主要部分の直径の約３分の１であるが、このパラメータは、適宜変化され得るということは以下の議論から明らかになるであろう。
【００３０】
該ハウジング１２の内部空洞１４は、支持板２８を含むいくつかの構成部分を保有する為の大きさに作られている。該支持板２８は、中心貫通開口３４とともに互いに向かい合う上部表面及び底部表面３０，３２を有する概ね平らな部材である。支持板２８の上部表面３０に取り付けられたプレスばめスリーブ３６は、中心貫通開口３４の中に延びており、移動機構４０を支持する為に使用されるが、これについては下記でより詳しく説明される。周囲内壁１６は、支持板１８の外側縁２１をそのすぐ真下でかつハウジング１２内に所定の高さで支持するための大きさに作られたレフレックス部１９をさらに含んでいる。本実施の形態によると、中心貫通開口３４は、底部開口２６に実質的に心合されているように描かれているが、この心合は、本質的なものではない。
【００３１】
ダイアフラムサブアセンブリ４２は、支持板２８の底部表面側３２に非固定の状態で取り付けられている可撓性ダイアフラム４４を有している。該ダイアフラム４４は、概ね水平方向に平坦であって、複数の波状面４９を有している。ダイアフラム４４の外側縁４７は、ハウジング１２の底部端２０から上向きに延びている周囲突起４５上に配置されているＯリング４６によってそこに固定されている。該Ｏリング４６は、ダイアフラム４４を適所に支持するだけでなく、シールも提供しているが、この機能については以下でより詳しく説明される。本発明によると、水平方向に平坦のダイアフラム４４の最も中心部は切られるか、そうでなければ取り除かれて連続した下方に延びている部分（以下、パン４８という）と置換され、それははんだ付けされるか、そうでなければ、ダイアフラムの残りの部分に固定されるか、これと一体とする。パン４８は、ハウジング１２の下方延伸部２４の中に延びる中空の円筒形の部分であって、プレスばめスリーブ３６とほぼ同じ幅寸法を有する空洞５０を有する。パン４８の下方端５３は、強化されているかもしくは軸受け石をはめられたコンタクト面５２を内部に有している。
【００３２】
本実施の形態による移動機構４０は、突出上端及び底端それぞれ５３、５５を除いて、チューブラ部材５６内に全体的に囲まれている軸方向に変位可能なシャフト部材５４を有している。薄い可撓性のあるリボン状ばね部７０は、チューブラ部材５６の底部端に隣接する一端６１及び対向するもう一端５９においてその周囲にリボンばね７０が螺旋系にもしくは渦巻き状に巻き付けられている状態で軸方向に変位可能なシャフト部材５４に固定して取り付けられ、外側チューブラ部材５６は、その全体の上部に渡って延びている一組の外側ねじ山７３を有し、プレスばめスリーブ３６に設けられた対応する内側ねじ山７５に係合している。リボン状部７０は、ベリリウム銅、ばね鋼、または他の類似の材料で製造される。
【００３３】
中空のチューブラ部材５６は、該部材のその他の部分より大きな直径を有する一体化した上部キャップ部５８を有し、該キャップ部は、プレスばめスリーブ３６の環状の凹部６８内に配置されたバイアスばね６８に当たっている段部５７を有する。該上部キャップ部５８及びバイアスばね６８は、移動機構４０の全体の感知を調整する為に使用される。
【００３４】
正確に配置されると、移動機構４０の大部分は、支持板２８の下及びハウジング１２の下方延伸部２４にすでに配置されているパン４８によって定義づけられる空洞５０内に延びる。この位置において、シャフト部材５４の底部端５５は、コンタクト面５２に近接している。
【００３５】
測定指標（図示せず）を有するダイヤル面６３は、プレスばめスリーブ３６に適合する大きさに作られている中心開口を通って支持板２８の上部表面側３０にとりつけられている。上記スリーブ３６のスロット６７に配置されているＯリング６５は、ダイヤル面６３の内側縁と係合している。指示部材６２は、シャフト部材５４の突出上端に搭載されている。
【００３６】
動作時において、入り込んでくる流体の（本例においては、空気）の圧力の変化が、ハウジング１２の底部開口２６、特にハウジング１２の内部空洞に入り込む。支持板２８の底部表面側３２に対してしっかりと固締しているＯリング４６によって、ダイアフラム４４の外側縁４７に施されたシールにより、内部空洞１４に空気がさらに侵入するのを防ぐ。その為に、圧力の増加は、パン４８の軸方向の動きを生じさせ、内側コンタクト面５２は、軸方向に変位可能なシャフト部材５４の底端５５を上方向に押し上げる。その結果、リボンばね７０は、チューブラ部材５６の固定端６０に対して延び、シャフト部材５４の回転を生じさせる。シャフト部材５４の回転は、ダイヤル面６３に設けられた指標（図示せず）に対して、シャフト部材３４の上端５３に取り付けられた指示部材６２の対応する周運動を生じさせる。
【００３７】
上記アセンブリの零調節は、以前から公知の装置と比較すると比較的簡単な方法である。第一に、バブル２２が、ハウジング６４の開いている上端１７から取り除かれる。ダイヤル面６３の内側縁に対するＯリング６５の係合により、ダイヤル面は、指示部材６２の位置に対して自由に回転可能とされている。感知調整もまた、所定の回転に対するリボンばね７０の感知を調整するようにプレスばめスリーブ３６の凹部６９内のバイアスばね５８に対して上部キャップ部５８を回転させることによって、アセンブリの上端にてなされる。類似の機構は、米国出願番号０８／９７２，５３８及び０９／１７２，５５２（それぞれ事務所番号２８１＿２６９及び２８１＿２９０）に説明されており、それら全体の内容は、参照することによって予め組みこまれている。
【００３８】
上記アセンブリの変形は可能である。例えば、図２を参照すると、図１のＯリング６５の代わりに、ダイヤル面６３Ａまたは支持板２８Ａは、ダイヤル面を除去する必要なく回転できるように、スリーブ３６Ａに設けられたスロット８０に対して中心開口近傍で適当に先細にされることができる。あるいは、移動機構４０は、すでに組み込まれている米国出願番号０８／９７２，５３８及び０９／１７２，５５２において説明されているような零調節の特徴を有することが可能である。なお、図２は、上記議論を詳述する為に全体のアセンブリの一部のみを図示しているということに留意すべきである。
【００３９】
第２の実施の形態によるハウジングデザインは、図３に描かれる。ここにおいて、同様の部分は、わかりやすくする為に同じ参照番号が付されている。先行する実施の形態として、同様に本装置はダイアフラムサブアセンブリ４２及び支持板２８を保有する大きさに作られた内部空洞１４を有するハウジング１２を有し、該ハウジングは、下方延伸部２４をさらに有している。移動機構４０は、該機構の軸方向に変位可能なシャフト部材３４の底端５５がダイアフラムの下方延伸部４８のコンタクト面５２に近接して配置されるように支持板２８の開口を通って配置されている。該ダイアフラムは、その間に取り付けられ、支持板２８の底部表面側３２に対してシールされている。
【００４０】
底部開口２６を通って入ってくる流体は、軸方向に変位可能なシャフト３４に対してダイアフラム４４の延伸部４８のたわみを生じさせ、それにより、先に述べられたように、取り付けられたリボンばね７０によってシャフトの回転を生じさせる。シャフト３４の回転は、Ｏリング４６を使用してハウジング１２の透明なウインドウ２２を通して見られる支持板２８の上部表面側３０に位置しているダイヤル面６３に対して、指示部材６２の周運動を引き続いて生じさせる。
【００４１】
本実施の形態において、本装置は、下方延伸部２４の外部に設けられたドッキングハブ８２を有し、該ハブは、Ｏリング１１８または他の類似のシーリング要素を収容する大きさに作られた円周スロット１１４を有している。例えば、ドッキングハブ８２は、パイプのねじ山（図示せず）を使用することが可能である。該ドッキングハブ８２は、Welch Allyn, Inc.,や他によって製造されるような圧力源かもしくはそうではない圧力源を有している他の現存する圧力装置ハウジングに本装置を取り付け可能にするように充分な修正を提供する。なお、底部開口２６の位置は、本質的でないことことに留意すべきである。つまり、開口がＯリング１１８によって提供されるシールより下にある限り、入り込んでくる流体は、水平に、またはそうでないように配置されたポートから内部空洞１４に入ることができる。
【００４２】
変形例をさらに説明すると、本発明によってなされるハウジング１２Ｂの第３の実施の形態は、ダイアフラム４４Ｂを有し、これは先行する実施の形態とは異なり、先行するものよりかなり狭い全体の幅径を有する実質的に垂直の部材である。その結果、周囲内壁１６にはめられる支持板２８Ｂを提供する必要がなくなり、ハウジング１２Ｂの底端２０Ｂに設けられる空洞５１に公知の方法で適当に配置される。
【００４３】
先行例のように、ダイアフラム４４Ｂの外側縁４７Ｂは、Ｏリング４６Ｂを使用してシールされ、支持板２８Ｂの底部表面側に外側縁をしっかりと効果的に固締する。移動機構４０は、プレスばめスリーブ３６Ｂの中心開口を通って本質的に支持板２８Ｂの下に配置されており、かつそれと係合状態でねじ止めされている。移動機構４０の大部分は、実質的に垂直のダイアフラム４４Ｂによって定義づけられている空洞内に配置されており、この特徴的なダイアフラムは、垂直に配置されている波状面４９Ｂを有している。バイアスばね６８Ｂを使用した移動機構４０の感知を制御するための調節は、先に述べられたものと同様に行われる。
【００４４】
全体として、本実施の形態は、ハウジング１２Ｂの上部の非常に浅いプロファイルを定義している。図示されていないが、ハウジング１２Ｂの底端は、改良されたか、または新しいアセンブリとして、ハウジングを他のゲージハウジング（図示せず）にしっかり留めるためのドッキングハブとして使用されることが可能である。
【００４５】
図４を参照すると、本発明の第４の実施の形態によって形成されるハウジング１４０は、ここにおいては、血圧カフと組み合わせて説明される。本実施の形態の目的のために、ハウジング１４０は、共通して譲渡され同時継続中の米国出願番号０９／１０９、７７９において詳細に説明されている特定の血圧カフまたはスリーブと共に使用されており、これによってその内容はその全体を組み込まれる。つまり、膨張可能なカフ１４２は、一対のスリーブ部１４４、１４６を使用して製造されており、それらは一体化した構成を形成するように連続したＲＦ（ラジオ周波数）溶接を使用して共にシールされており、かつ、膨張可能な内部体積１４８を定義付けている。カフ１４２は、一般的に公知の方法において患者の腕１７０の周りに巻かれる。
【００４６】
先の実施の形態と異なって、本実施の形態で説明されるハウジング１４０は、上部１５２、下部１５４及び接続中間部１５６を有している。上、及び下部１５２、１５４は実質的に円筒形状であり、ほとんど同じ直径を有しているが、中間部１５６は、かなり小さな直径を有し、それ故、どちらの隣接部よりも非常に狭くなっており、ややヨーヨーのように形作られた形状を定義づけている。本実施の形態によると、中間部１５６は、他の部分１５２、１５４の直径のほぼ３分の１の直径を有しているが、このパラメータは、その中に使用される移動機構の相対的な大きさによって変化され得る。上記部分１５２、１５４、及び１５６は、各々、先に説明されたものと性質は同様であり、中空で、内部空洞１５８を形成するように組み合わされている。
【００４７】
本実施の形態によると、支持板１６５（仮想線にて図示）は、ハウジング１４０の下部１５４内に配置されており、ダイヤル面１６７（仮想線にて図示）は、上部１５２に配置されている。先に述べられたものと同様の移動機構１７１（仮想線にて図示）は、ダイヤル面１６７と支持板１６５とを相互接続しており、主として、中間部１５６に配置されている。
【００４８】
本実施の形態によると、スロット１６２は、スリーブ部１４４及び１４６に切り込まれている。スロット１６２は、下部１５４及び狭い中間部１５６のためのボタン状の保有具を提供し、上部１５２は、カフ１４２の外部から突き出ている。ポート１７６は、公知の方法において空気圧バルブ（図示せず）によって膨張させられるカフ１４２の膨張可能な内部体積にホース１７８を介して接続される。
【００４９】
動作時において、本装置は、取り外し可能な聴診器アダプター１６６がハウジング１５０の底部に着脱自在に取り付けられることができ、一体化した装置を形成するということを除いては先に述べられたものと同様に操作する。本実施の形態によると、ハウジング１５０の底部は、アダプタに設けられた雌コネクタ１８０または他の適当な手段と係合するる大きさに作られた突出取付部１７４を有している。全ての先行する公知のカフは、カフと聴診器の間に分離が必要である。上記ハウジング１５０の全体的に浅いプロファイルにより、アダプタ１６６を使用することは、価値のあるものとなる。
【００５０】
聴診器アダプタ１６６は、ポート１８４に取り付けられた接続イヤーピース（図示せず）を有する聴診器のベルを形成する円錐形状の部材である。使用に際して、アダプタ１６６は、ハウジング１４０に対して自由に回転可能であり、患者や介護人による検査と、同様に首尾よく行うことができる。
【００５１】
添付されたクレームによって定義される本発明の精神や範囲内で他の変更や修正が可能であるということは当業者にとっては容易に明らかであろう。例えば、図３に描かれるハウジングは、図５に示されるカフに設けられた収容ホール（図示せず）にドッキングハブ８２を挿入することによって該カフと共に使用され得る。さらに、上記アセンブリには、ある圧力感知装置において必要とされるように、多数のダイアフラムを含めることが可能で、移動機構の効果的な配置を可能とする少なくとも一つまたは全てのダイアフラムか、及び／もしくは、ハウジングは先に述べたように修正される。
【図面の簡単な説明】
【図１】  本発明の第１の実施形態によってなされるハウジングを有する圧力測定装置の断面図である。
【図２】  図１の圧力測定装置の拡大断面図であって、本装置に対して回転可能なダイヤル面を取り付ける為の代わりの手段を描いている。
【図３】  本発明の第２の実施形態によってなされるハウジングを有する圧力測定装置の断面図である。
【図４】  本発明の第３の実施形態によってなされるハウジングを有する圧力測定装置の断面図である。
【図５】  膨張可能な血圧スリーブと共に使用される、本発明の第４の好ましい実施形態によってなされる圧力測定装置の部分断面図である。
【符号の説明】
１０  圧力測定装置、１２  ハウジング、１２Ｂ  ハウジング、１４  内部空洞、１６  周囲内壁、１８  上端、１９  レフレックス部、２０  底端、２０Ｂ  底端、２１  外側縁、２２  ウインドウ（バブル）、２４  下方延伸部（狭伸部）、２６  底部開口、２８  支持板、２８Ａ  支持板、２８Ｂ  支持板、３０  上部表面、３２  底部表面、３４  中心貫通開口、３６  プレスばめスリーブ、３６Ａ  プレスばめスリーブ、３６Ｂ  プレスばめスリーブ、４０  移動機構、４２  ダイアフラムサブアセンブリ、４４  ダイアフラム、４４Ｂ  ダイアフラム、４５  周囲突起、４６  Ｏリング、４６Ｂ  Ｏリング、４７  外側縁、４７Ｂ  外側縁、４８  パン、４９  波状面、４９Ｂ  波状面、５０  空洞、５１  空洞、５２  コンタクト面、５３  上端、５４  シャフト部材、５５  底端、５６  チューブラ部材、５８  上部キャップ部、６０  固定端、６２  指示部材、６３  ダイヤル面、６３Ａ  ダイヤル面、６４  ハウジング、６５  Ｏリング、６７  スロット、６８  バイアスばね、６８Ｂ  バイアスばね、６９  凹部、７０  リボンばね、７３  外側ねじ山、７５  内側ねじ山、８２  ドッキングハブ、１１４  円周スロット、１１８  Ｏリング、１４０  ハウジング、１４４・１４６  スリーブ部、１４８  内部体積、１５２  上部、１５４  下部、１５６  中間部、１６２  スロット、１６５  支持板、１６６  アダプタ、１６７  ダイヤル面、１７１  移動機構、１７４  突出取付部、１７６  ポート、１７８  ホース、１８０  雌コネクタ、１８４  ポート
【図１】
0003771799.tif 000002
【図２】
0003771799.tif 000003
【図３】
0003771799.tif 000004
【図４】
0003771799.tif 000005
【図５】
0003771799.tif 000006